(57)【要約】 【課題】飲料パックに添着している内包された二本繋ぎの伸縮吸引ストロー具の改良により牛乳・ジュース等の飲料パック内に外気を流入させ、飲料物を容易に飲むことを可能にする。【解決手段】本実施例による吸引ストロー具は、大径ストロー１と小径ストロー２とから形成されている。大径ストロー１の一方の先端に飲料パックへの吸引ストロー具挿入孔６を形成するための斜めの切込み先３を設けると供に、大径ストロー１の長さを飲料パック５の高さより短くする。吸込口４に口をあてて吸引すると、大径ストロー１によって飲料パック５に形成された吸引ストロー具挿入孔６と大径ストロー１に連接した小径ストロー２との間に径の違いによって外気流入隙間７が形成され、吸入時、外気流入隙間７より外気が飲料パック５内に流入し、スムーズに飲料物を飲むことができる。【選択図】図４
2006325837.tif 000002
【特許請求の範囲】
【請求項１】
大径ストローと小径ストローとを連接してなり、飲料パックに形成された吸引ストロー具挿入孔内に差し込まれて使用される吸引ストロー具において、上記大径ストローの先端に上記飲料パックに上記吸引ストロー具挿入孔を形成するための斜めの切込み先を設けると供に、上記大径ストローの長さを上記飲料パックの高さより短くし、上記大径ストロー側を上記ストロー挿入孔より上記飲料パック内に差し込んで使用するようにしたことを特徴とする吸引ストロー具。
【請求項２】
請求項１記載の吸引ストロー具において、上記大径ストローは上記小径ストローを内包し、伸縮自在に連接していることを特徴とする吸引ストロー具。
【請求項３】
請求項１記載の吸引ストロー具において、上記大径ストローと上記小径ストローは連結固定されていることを特徴とする吸引ストロー具。
【発明の詳細な説明】
【技術分野】
【０００１】
本発明は、牛乳・ジュース等の飲料パックに添着されている吸引ストロー具に関するものである。
【背景技術】
【０００２】
従来、飲料パックに添着されている吸引ストロー具は、二本の内径の違うストローの大径ストローが小径ストローを内包し、使用時は二本のストローを伸ばすことにより、飲料パック用吸引ストロー具として使用している。飲料物を飲むために、二本のうちの内側の小径ストローの一端に斜めの切り込み先を設け、飲料パックに吸引ストロー具挿入孔を切り開き、切り開いた吸引ストロー具挿入孔内に小径ストローを差込むが、差し込まれた小径ストローは飲料パックの高さより短く作られているため、飲料パックの吸引ストロー具挿入孔が小径ストローと連接した外側の大径ストローによってふさがれ、飲料パック内が外気と遮断され飲みにくくなっていた。この改善策として、ストローの形状を変える及びストローに溝を設けることにより外気を飲料パック内に流入させた物がある。
【特許文献１】実願昭５７−１３６９２５号公報
【特許文献２】実願平８−７９２９号公報
【特許文献３】実願平１０−４１８０号公報
【発明の開示】
【発明が解決しようとする課題】
【０００３】
解決しようとする問題点は、飲料パックに内側の小径ストローの切込み先によってあけられた吸引ストロー具挿入孔を飲料パックに挿入した吸引ストロー具の外側の大径ストローによってふさがれ、外気がパック内に流入しないため、パック内の飲料物をスムーズに飲むことができなかった。
本発明は、この問題点を解決するためのものである。
【課題を解決するための手段】
【０００４】
上記課題を達成すべく本発明の請求項１にある吸引ストロー具は、大径ストローと小径ストローとを連接してなり、飲料パックに形成された吸引ストロー具挿入孔内に差し込まれて使用される吸引ストロー具において、上記大径ストローの先端に上記飲料パックに上記吸引ストロー具挿入孔を形成するための斜めの切込み先を設けると供に、上記大径ストローの長さを上記飲料パックの高さより短くし、上記大径ストロー側を上記吸引ストロー具挿入孔より上記飲料パック内に差し込んで使用するようにしたことを特徴とするものである。
【０００５】
上記課題を達成すべく本発明の請求項２にある吸引ストロー具は、請求項１記載の吸引ストロー具において、上記大径ストローは上記小径ストローを内包し、伸縮自在に連接していることを特徴とするものである。
【０００６】
上記課題を達成すべく本発明の請求項３にある吸引ストロー具は、請求項１記載の吸引ストロー具において、上記大径ストローと上記小径ストローは連結固定されていることを特徴とするものである。
【発明の効果】
【０００７】
本発明の吸引ストロー具は、外側の大径ストローの切り込み先で飲料パックにあけた吸引ストロー具挿入孔と吸引ストロー具孔から差し込まれた大径のストローに連接する内側の小径ストローとの間に径の違いによる隙間が形成され、その隙間より外気が流入するので、スムーズに牛乳・ジュース等飲料物を飲むことができる。
【発明を実施するための最良の形態】
【０００８】
以下、本発明の実施の形態を図１、図２、図３、図４に基づき説明する。
図１は、本実施例による請求項２にある伸縮自在に連接する吸引ストロー具は、大径ストロー１と、小径ストロー２から形成されており、大径ストロー１が小径ストロー２を内包している形状を示している。大径ストロー１の一方の先端に図４飲料パック５への吸引ストロー具挿入孔６を形成するための斜めの切込み先３を設けると供に、大径ストロー１の長さは図４の飲料パックの高さより短くする。小径ストロー２は大径ストロー１と連接しており、小径ストロー２の一方の端は口を当て飲料物を飲むための吸込口４とする。
【０００９】
図２は、図１の請求項２にある伸縮自在の吸引ストロー具の大径ストローが小径ストローを内包している状態から、飲料物を飲料バック５から吸引するために、小径ストローを大径ストローから引き出し、大径ストローと小径ストローを最長に伸ばした形状を示している。
【００１０】
図３は、本実施例による請求項目３にある吸引ストロー具において、大径ストローと小径ストローが連結固定されている形状を示している。
【００１１】
図４は請求項２及び請求項３の吸引ストロー具を飲料パック５に差し入れて使用している状況を示している。
大径ストロー１の切込み先３は、飲料パック５に吸引ストロー具挿入孔６を切り開き、大径ストロー１は、吸引ストロー具挿入孔６から飲料パック５の中に差し込まれる。大径ストロー１の切込み先３によって形成された吸引ストロー具挿入孔６は、大径ストロー１が飲料バックの高さより短いため、大径ストロー１と連接する小径ストロー２と接することになるが、小径ストロー２と吸引ストロー具挿入孔６との径の違いにより飲料パック５内に外気が流入する外気流入隙間７が形成される。小径ストロー２の吸込口４に口をあてて飲料パック５内の飲料物を吸入すると、外気流入隙間７から外気が飲料パック５内に流入するため、飲料物をスムーズに飲むことができる。
【産業上の利用可能性】
【００１２】
本発明の吸引ストロー具の太さ及び長さを変えることにより、大きさが違う多様な飲用パックに使用ができる。また、ストロー具の先に外側部分に切り込み先を設けた大径ストローを固定しても同様の効果を得ることができる。
【図面の簡単な説明】
【００１３】
【図１】本発明の請求項２にある伸縮自在の吸引ストロー具で大径ストローが小径ストローを内包した状態の吸引ストロー具の正面図
【図２】図１の請求項２にある伸縮自在の吸引ストロー具において大径ストローが小径ストローを内包した状態から小径ストローを大径ストローから引き出し伸ばし最長の状態の伸縮吸引ストロー具の正面図
【図３】本実施例による請求項目３にある吸引ストロー具において、大径ストローと小径ストローが連結固定されている形状のストロー具の正面図
【図４】本発明の請求項２及び請求項３の吸引ストロー具を飲料パック内に挿入し使用時の斜視図
【符号の説明】
【００１４】
１  大径ストロー
２  小径ストロー
３  切込み先
４  吸入口
５  飲料パック
６  吸引ストロー具挿入孔
７  外気流入隙間
【図１】
2006325837.tif 000003
【図２】
2006325837.tif 000004
【図３】
2006325837.tif 000005
【図４】
2006325837.tif 000006